(57)【要約】【課題】専門病院で腰部に対し最も負担のかからない安息状態の姿勢にて自然治癒を促進する腰部牽引治療を受けるためには、欠勤や休学をして入院、又は、通院するの一般的で、このことから、つい我慢をすることでより重傷になることが多く治りも遅くなっていた。【解決手段】中央ベッド部の両端にそれぞれ折り畳み式背もたれと牽引用支柱、及び、前記中央ベッド部に座席と中央付近に足の膝関節を曲げる角度調整式強制屈曲習い装置から構成されることで、重傷の腰痛になる前、即ち、腰に違和感を感じたとき家庭内や長距離トラック内寝室にて即座に使用できるよう常備することで欠勤や休学することなく就寝中に腰痛を克服することができる。【選択図】図２
2005334032.tif 000002
【特許請求の範囲】
【請求項１】
ベッド部の両端にそれぞれ折り畳み式背もたれと牽引用支柱、及び、前記ベッド部に座席と中央付近に足の膝関節を曲げる角度調整式強制屈曲習い装置から構成されたことを特徴とする折り畳み式腰部牽引器具。
【発明の詳細な説明】
【技術分野】
【０００１】
本発明は、即座に使用できる折り畳み式腰部安息、及び、牽引治療装置に関するものである。
【背景技術】
【０００２】
腰痛において、通院できない重傷の場合は入院先のベッドに装着された錘を利用した腰部牽引治療器具で、又、通院可能な場合は電動式腰部牽引器具を有する病院にて腰部牽引治療をするのが一般的な方法である。
【０００３】
しかし、上記前者においては入院しなくてはならない重傷状態では、本来自然治癒を促進させるのが腰部牽引療法であることからして効果速度は遅く長期入院を余儀なくされる。また、上記後者においても外来治療には常に複数人の腰部牽引治療患者がいることからして短時間の強力腰部牽引治療となってしまう。そもそも、自然治癒とは十分な時間を必要とするものであって、患者の全てに短時間の強力腰部牽引治療が適合するとは限らず気休めの感はぬぐえない。
【特許文献１】特になし
【非特許文献１】特になし。
【発明の開示】
【発明が解決しようとする課題】
【０００４】
本発明は、上記の問題を解決するものであって、欠勤、休学をして入院、通院による治療をせずとも早期に、手軽に腰痛を克服できるコンパクトタイプの折り畳み式腰部牽引器具を提供することを目的としている。
【課題を解決するための手段】
【０００５】
上記の目的を達成するための本発明の折り畳み式腰部牽引器具は、ベッド部の両端にそれぞれ折り畳み式背もたれと牽引用支柱、及び、前記ベッド部に座席と中央付近に足の膝関節を曲げる角度調整式強制屈曲習い装置を設けたものである。
【０００６】
上記のように構成された本発明の折り畳み式腰部牽引器具は、重傷の腰痛になる前、即ち、腰に違和感を感じたとき、家庭内や長距離トラックキャビン内寝室にて即座に使用でき、欠勤や休学することなく就寝中に腰痛を克服することができる。
【発明の効果】
【０００７】
以上のように構成された折り畳み式腰部牽引器具は、次のような効果を奏する。
【０００８】
請求項１は、腰部に対して最も負担のかからない安息状態の姿勢を保持しながら自然治癒を促進する腰部牽引治療を受けるには専門病院に入院、または、通院しなければならなかったが、本発明の折り畳み式腰部牽引器具を常備することで、コンパクトで場所をとらず、道具を使っての組立や分解時間を必要としないため即座に使用でき、腰痛の初期症状から始められることから治りも早く、欠勤や休学することなく睡眠中にも行えるので何より楽にして合理的な腰部牽引治療ができるのである。
【発明を実施するための最良の形態】
【０００９】
本発明は、ベッド部の端に設けられた背もたれとベッド部に座席と中央付近に足の膝関節を曲げる角度調整式強制屈曲習い装置によって腰部に対して最も負担のかからない安息状態の姿勢を保持し、この状態でベッド部の他端に設けられた牽引用支柱を介して錘と腰部牽引用ベルトによる一般的な腰部牽引治療を行えるように構成する。また、基本的な使用法としては本発明の折り畳み式腰部牽引器具に少々硬めの布団等を併用することでより快適な姿勢で治療に専念できる。
【実施例】
【００１０】
図１は、本発明に関する参考図であって、１５度前後の背角で膝関節をややくの字に曲げてあお向けに横たわる状態が、腰部に対して最も負担のかからない安息状態の姿勢であると医学上証明されている。このことは、寝腰が痛い、と言う言葉に代表されるように一般的な寝姿、即ち、身体をあお向けにして足を伸ばし水平に寝る姿勢の睡眠では身体の疲労回復は得られるものの寝れば寝るほど腰が痛くなるということを云ったものである。
【００１１】
図２は、本発明に関する第１実施例の図であって、ベッド部１の両端にそれぞれ背もたれ２と牽引用支柱３を設け、ベッド部１に座席４と中央付近に足の膝関節を曲げる角度調整式強制屈曲習い装置５を設けたもので、例えば、ベッド部１は直径約３０ミリメートルの金属パイプにて縦１２００ミリメートル幅５００ミリメートルに枠組みを形成し、背もたれ２は前記同径金属パイプにて背角１５度を保持できる長さ６００ミリメートル幅５００ミリメートルに形成した枠組みと背板Ｐからなり、ベッド部１の端に溶接されたブラケット６にピン７にて付設されたもので、また、牽引用支柱３も前記同径金属パイプにて牽引用錘Ｗ１．５キログラム前後が使用できる高さ５００ミリメートル幅５００ミリメートルに枠組みを形成し、ベッド部１の他端に溶接されたブラケット６にピン７にて付設したものである。。
【００１２】
図３は、本発明に関する第１実施例の折り畳み状態を示す図であって、ベッド部１の両端に付設された背もたれ２、及び、牽引用支柱３はブラケット６のピン７を中心に内側に倒れるように構成されており、足の膝関節を曲げる角度調整式強制屈曲習い装置５は矢印Ｈ方向に折り畳み調整可能で、また、身長に合わせて矢印Ｓ方向に左右スライド調整もできる。
【００１３】
図４−１は、本発明に関する第１実施例の足の膝関節を曲げる角度調整式強制屈曲習い装置５の折り畳み状態を示す図であって、ベッド部１の金属パイプ枠上を移動するスライドブラケット８に取り付けられた蝶番９にて足の膝関節を曲げる角度調整式強制屈曲習い装置５の前板１０と、同じく図４−２に示す後板１１を取り付け、高さを固定できる固定用チェーン１２と図４−３に示すように矢印Ｈ示方向に調整可能に蝶盤１３にて連結する。
【００１４】
図５は、本発明に関する第２実施例であって、ベッド部１の中央付近にに設けられた足の膝関節を曲げる角度調整式強制屈曲習い装置５として図５−１、図５−２に示すようにウレタンホーム、ゴム等の素材にて渦巻１４状、または、山形１５状に高さを任意調整できるマットである。また、図５−３は空気量を電動、手動で調整し高さを調整できる空気枕１６を示すもので、この方式は足を持ち上げることで腰部を持ち上げ床ずれ治療にも利用できる。
【産業上の利用可能性】
【００１５】
本発明によって克服できる腰痛患者は働き盛りの人間に多く、長期の仕事放棄の状態にて予定業務が遂行できなることもあり、手元に常備することでこれらの改善は最良となる。
【図面の簡単な説明】
【００１６】
【図１】医学上最も腰部に負担のかからない姿勢と言われている姿勢図である。（参考図）
【図２】本発明を適用した折り畳み式腰部牽引器具を説明する全体斜視図である。（実施例１）
【図３】本発明を適用した折り畳み式腰部牽引器具の折り畳み状態を説明する全体側面図である。（実施例１）
【図４】本発明を適用した折り畳み式腰部牽引器具の足の膝関節を曲げる角度調整式強制屈曲習い装置を説明する図である。（実施例１）
【図５】本発明を適用した折り畳み式腰部牽引器具の足の膝関節を曲げる角度調整式強制屈曲習い装置を説明する一部側面図である。（実施例２）
【符号の説明】
【００１７】
Ｈ    矢印（足の膝関節を曲げる角度調整式強制屈曲習い装置の高さ調整方向）
Ｐ    背板
Ｓ    矢印（足の膝関節を曲げる角度調整式強制屈曲習い装置のスライド調整方向）
Ｗ    牽引用錘
１    ベッド部
２    背もたれ
３    牽引用支柱
４    座席
５    足の膝関節を曲げる角度調整式強制屈曲習い装置
６    ブラケット
７    ピン
８    スライドブラケット
９    蝶番
１０    前板
１１    後板
１２    固定用チェーン
１３    蝶番（前板、後板連結用）
１４    渦巻き状マット
１５    山形状状マット
１６    空気枕
【図１】
2005334032.tif 000003
【図２】
2005334032.tif 000004
【図３】
2005334032.tif 000005
【図４】
2005334032.tif 000006
【図５】
2005334032.tif 000007